(57)【特許請求の範囲】
【請求項１】
空気中の水分を凝縮する凝縮器と、前記凝縮器によって凝縮された水を一時的に貯蔵する第１貯水槽と、上方に取り出し自在に配された第２貯水槽と、前記第１貯水槽から前記第２貯水槽へ水を導くポンプと、前記第２貯水槽を取り出すための蓋とを備え、前記蓋が閉められたときには、前記蓋に設けられた給水口が前記第２貯水槽の開閉弁を押すことにより、前記開閉弁が開き、前記蓋が開けられたときには、前記給水口が前記開閉弁から離れることにより、前記開閉弁が閉じられるようになっており、前記蓋が閉められたときに、前記ポンプが駆動開始状態になり、前記蓋の開閉手段のマイクロスイッチがＯＮ状態になり、マイクロコンピュータに信号を送り、前記マイクロコンピュータのタイマー計時手段とポンプ駆動制御手段とによって制御して前記マイクロコンピュータから前記ポンプへ駆動の遅延をするための信号を送ることを特徴とする除湿機。
【発明の詳細な説明】
【０００１】
【発明の属する技術分野】
本発明は、室内の空気中の水分を取り除く回転式除湿材等を備えた除湿機に関するものである。
【０００２】
【従来の技術】
従来の除湿器、例えば、回転式除湿材を備えた回転式空気除加湿システムについて、図５及び図６を用いてを説明する。
【０００３】
図５及び図６において、湿度交換器（以下除湿ローターという）３は駆動モーター（図示しない）等で回転させる。この除湿ローター３の吸湿部３１に湿った被除湿空気３２を吹き込み水分を吸湿剤に吸着させて除湿し乾燥された空気３３とし、他方除湿ローター３の水分を吸着した吸湿剤に再生ヒーター３４で加熱され高温となった再生空気３５を送り込み、吸湿剤を加熱して水分を取り出して吸湿剤を再生し、暖かく湿った再生空気３６をとりだすことができる。
【０００４】
前記吸湿剤に水分を吸着させる除湿部３１と、水分を吸着した吸湿剤を加熱して水分を吐き出させ、再生する再生部３７とは、回転している除湿ローター３に湿った被除湿空気３２と再生ヒーター３４で加熱され高温となった再生空気３５を吹き込む位置がその再生部になるだけで、特に除湿ローター３に仕切りがあるわけではなく、除湿ローター３は繰り返し連続的に使用できる。また、除湿としても、逆に加湿としても利用できる。
【０００５】
そして、吸湿した除湿ローター３の吸湿剤を再生させるため、電気ヒーターである再生ヒーター３４にて再生空気を２００℃〜２５０℃に加熱した後、除湿ローター３に再生ファン８により送風する。加熱された再生空気３５は除湿ローター３の吸湿剤から水分を受け取り、暖かく湿った空気３６となり、凝縮器にて冷却され、水分を結露させて排出する。結露水は水受タンク１０に導かれる。
【０００６】
前記貯水タンク１２は蓋２を開けて収納し、蓋２を閉めると揚水ポンプ１１の駆動回路のスイッチがＯＮし、水受タンク１０に備えた水位を検知するフロートスイッチ（図示しない）が、所定の水位を検知すると、備えられている揚水ポンプ１１を運転し、揚水パイプ１３を経て、蓋２に併設されている給水口１５より、貯水タンク１２の開閉弁１９の弁機構部を経て、結露水を貯水タンク１２に貯える。
【０００７】
このような回転式除湿材（除湿ローター３）を備えた除湿機は、圧縮機を備えた冷凍サイクル方式の除湿機に比べて、振動がなく、音が静かで、製品形状が小さく、重量も軽い、かつ低湿度にても除湿能力がある等の特徴を有し、コンパクトな製品となし得て、壁掛け等にも使用できる利点がある。
【０００８】
【発明が解決しようとする課題】
上記従来の除湿機の構成においては、蓋２の開閉検知手段で開閉を検知して、揚水ポンプ１１の駆動を運転・停止させる関係であるが、蓋２を閉めると即揚水ポンプ１１が駆動するため、蓋２に内接している給水口１５が、貯水タンク１２の開閉弁１９に装着が不完全な状態のままで、揚水ポンプ１１により送水されるために、凝縮水の飛び散り現象が生じることがあり、また、蓋２を開いた時に揚水ポンプ１１の駆動が停止しても、給水口１５からの僅かな水滴が落下するなどの問題があった。
【０００９】
本発明は、使い勝手がよく、貯水槽へ給水がし易く、外へ散らばらない構造の除湿機を提供しようとするものである。
【００１０】
【課題を解決するための手段】
本発明の除湿機は上記課題を解決するために、空気中の水分を凝縮する凝縮器と、凝縮器によって凝縮された水を一時的に貯蔵する第１貯水槽と、上方に取り出し自在に配された第２貯水槽と、第１貯水槽から第２貯水槽へ水を導くポンプと、第２貯水槽を取り出すための蓋とを備え、蓋が閉められたときには、蓋に設けられた給水口が第２貯水槽の開閉弁を押すことにより、開閉弁が開き、蓋が開けられたときには、給水口が開閉弁から離れることにより、開閉弁が閉じられるようになっており、蓋が閉められたときに、ポンプが駆動開始状態になり、蓋の開閉手段のマイクロスイッチがＯＮ状態になり、マイクロコンピュータに信号を送り、マイクロコンピュータのタイマー計時手段とポンプ駆動制御手段とによって制御してマイクロコンピュータからポンプへ駆動の遅延をするための信号を送るようにしたものである。
【００１２】
【発明の実施の形態】
以下、本発明に係る除湿機の実施の形態について図１乃至図４とともに説明するが、上記従来例と同一部分は同一符号を付して説明する。
【００１３】
図１は本発明の実施の形態に係る除湿機の全体構成説明図、図２は本発明の実施の形態に係る除湿機の蓋と貯蓄タンク上部の側面図、主要部品の配置を説明するための説明用略図、図３は本発明の実施の形態に係る除湿機の蓋と蓋開閉機構の構成説明図、図４は本発明の実施の形態に係る除湿機の揚水ポンプの駆動制御ブロック図である。
【００１４】
図１において、除湿ローター３のエレメントはダンボール紙などの帯状のシート状基材にゼオライト（吸湿剤）を溶かした溶剤を含浸して担持させた帯状平面シートの表面に、同じく基材にゼオライト等の吸湿剤を含浸担持させた帯状平面シートからなる高さ１ｍｍ〜１．５ｍｍ程度に波付け加工した波形シートを接着して一体化した片波成形体を巻回し、ローターにしたもので、ハニカムローターと称され、ゼオライト（吸湿剤）を基材の表面は勿論その内部にまで担持させている。
【００１５】
また、被除湿空気３２は除湿ファン６に吸引され、フィルター７で粗いゴミを取り去り、凝縮器４を通過し、暖かく湿った凝縮器４内部の再生空気３６を冷却し、再生空気中の水分を結露させる。凝縮器４を通過した被除湿空気３２は除湿ローター３を通過し、吸湿剤に吸湿させ、乾燥空気３３となり、熱回収熱交換器５にて熱回収後、室内に放出される。
【００１６】
そして、吸湿した除湿ローター３の吸湿剤を再生させるため、電気ヒーターである再生ヒーター３４にて再生空気を２００°Ｃ〜２５０°Ｃに加熱した後、除湿ローター３に再生ファン８により送風する。加熱された再生空気は除湿ローター３の吸湿剤から水分を受け取り、暖かく湿った空気となり、凝縮器４にて冷却され、水分を結露させて排出する。
【００１７】
また、結露水９は水受タンク１０に導かれる。水受タンク１０には水位を検知するフロートスイッチ（図示しない）を備え、所定の水位を検知すると、備えられている揚水ポンプ１１を運転し、揚水パイプ１３を経て、蓋２に併設されている給水口１５より、貯水タンク１２の開閉弁１９の弁機構部を経て、結露水９を貯水タンク１２に貯える。
【００１８】
除湿ローター３は駆動モーター（図示しない）で回転されており、被除湿空気３２が通過する除湿部３１と熱風が通過する再生部３７は少しづつ回転移動しており、吸湿してもまた再生され、連続的に使用可能である。
【００１９】
また、除湿ローター３に熱風が通過し少しづつ回転移動するため、除湿ローター３は暖められている。ここに被除湿空気３２が通過するため、通過後の暖められた乾燥空気３３より、熱回収熱交換器５に熱を回収する。熱回収熱交換器５の内部には凝縮器４で結露水９を排出した後の再生空気が通過し、暖められた分だけ、再生ヒーター３４の電力を節約できる。再生空気は上記のように閉回路になって、繰り返し使用されている。
【００２０】
次に図２を用いて説明する。図２において、給水口１５は、蓋２に内接されている蓋裏板１６に、給水口１５のノズル１７を一体成型し、穴部にパイプ１８を圧入し、接着剤で固定して回り止めを防止している。揚水ポンプ１１からの屈曲性のあるゴム製の揚水パイプ１３を、給水口１５のパイプ１８に接続する。揚水パイプ１３は蓋２と蓋裏板１６の間を通って、蓋２と蓋裏板１６の間にある給水口１５のノズル１７に接続するので、蓋２の開閉時に触れたり、垂れ下がることはない。
【００２１】
また、給水口１５のノズル１７は、先端の平坦部は貯水タンク１２の開閉弁１９を押す役目をし、側面部には四方にスリット穴２０が開いている。この給水口１５のノズル１７のスリット穴２０は、蓋２が閉められたときに貯水タンク１２の開閉弁１９の開口面より内面にあけられている。
【００２２】
本体１を前面から見て、右側には、貯水タンク１２を本体上部の天板の開口部から着脱自在に挿入設置されている。天板の開口部には蓋２が開閉自在に設置されていて、閉じたときには、水受タンク１０に設置されている揚水ポンプ１１からの除湿水が貯水タンク１２に流れ込むように、揚水パイプ１３の先端に設けられた給水口１５が、貯水タンク１２の開閉弁１９を押し、給水口１５からの除湿水を貯水タンク１２に貯える。蓋２を開けると、揚水パイプ１３先端の給水口１５が離れるため、貯水タンク１２の開閉弁１９が閉じる。
【００２３】
なお、揚水パイプ１３の先端の給水口１５のノズル１７が蓋２の蓋裏板１６でガードされていて、給水口１５のノズル１７のみが表面にでており、正確には蓋２が開閉すると、給水口１５のノズル１７が開閉弁１９を、押したり離れたりして、開閉弁１９を開閉している。
【００２４】
前記貯水タンク１２を本体１に収納しようと、まず、蓋２を開けるために、蓋２に連動している連絡棒２５が上方方向に持ち上げられ、引っ張りバネ２６の付勢に抗して、作動板２８と係合している一端が上がりマイクロスイッチ２７側の他端は下がり、マイクロスイッチ２７をＯＦＦ状態にして、貯水タンク１２を本体に収納する。
【００２５】
そして、前記水受けタンク１０内に一定量以上の凝縮水がためられているのを未図示のフロートスイッチで検知していれば、貯水タンク１２を収納後に、蓋２が閉まると、蓋２に連結している連結棒２５による作動板２８の一端が引っ張りバネ２６により下がり、作動板２８のマイクロスイッチ２７側の端部が上方に上がり、マイクロスイッチ２７がＯＮ状態になり、揚水ポンプ１２が駆動開始状態になる。マイクロスイッチ２７がＯＮし、マイクロコンピュータ３８に信号を送り、タイマー計時手段２９と揚水ポンプ駆動制御手段３０とで制御して、マイクロコンピュータ３８から揚水ポンプ１２へ駆動の遅延をするための信号を送り、扉２が閉まってから、約１０秒余り遅れて、揚水ポンプ１１が駆動を開始し、水受けタンク１０の水を貯水タンク１２に送り出すシーケンスになっている。
【００２６】
つまり、貯水タンク１２が本体１に挿入され、蓋２が閉じられている状態で、マイクロスイッチ２７がＯＮ状態になり、蓋２に内接されている給水口１５のノズル１７先端の平坦部が、貯水タンク１２の開閉弁１９の弁２４を押し、開閉弁１９が開いた状態で、揚水ポンプ１１を駆動して凝縮水が注入されるので、貯水タンク１２外に滴が降り注ぐことはない。
【００２７】
なお、本発明は上記実施の形態に限定されるものではない。
【００２８】
【発明の効果】
本発明に係る除湿機は、空気中の水分を凝縮する凝縮器と、凝縮器によって凝縮された水を一時的に貯蔵する第１貯水槽と、上方に取り出し自在に配された第２貯水槽と、第１貯水槽から第２貯水槽へ水を導くポンプと、第２貯水槽を取り出すための蓋とを備え、蓋が閉められたときには、蓋に設けられた給水口が第２貯水槽の開閉弁を押すことにより、開閉弁が開き、蓋が開けられたときには、給水口が開閉弁から離れることにより、開閉弁が閉じられるようになっており、蓋が閉められたときに、ポンプが駆動開始状態になるようにしたもので、必ず蓋が第２貯水槽の開閉弁に装着されてから、ポンプの駆動をスタートするので、凝縮水の飛び散り等を惹起することがない。
【図面の簡単な説明】
【図１】本発明の実施の形態に係る除湿機の全体構成説明図である。
【図２】本発明の実施の形態に係る除湿機の蓋と貯蓄タンク上部の側面図である。
【図３】本発明の実施の形態に係る除湿機の蓋と蓋開閉機構の構成説明図である。
【図４】本発明の実施の形態に係る除湿機の揚水ポンプの駆動制御ブロック図である。
【図５】従来の除湿ローターを用いた回転式空気除加湿システムを説明する説明図である。
【図６】従来の除湿機の貯蓄タンク周辺の構成説明図である。
【符号の説明】
１  本体
２  蓋
３  除湿ローター（回転式除湿材）
４  凝縮器
５  熱回収熱交換器
６  除湿ファン（送風機）
７  フィルター
８  再生ファン
９  結露水
１０  水受タンク
１１  揚水ポンプ
１２  貯水タンク
１３  揚水パイプ
１４  タンクガイド
１５  給水口
１６  蓋裏板
１７  ノズル
１８  パイプ
１９  開閉弁
２０  スリツト穴
２２  天板
２４  弁棒
２５  連絡棒
２６  引っ張りバネ
２７  マイクロスイッチ
２８  作動板
【図１】
0003667115.tif 000002
【図２】
0003667115.tif 000003
【図３】
0003667115.tif 000004
【図４】
0003667115.tif 000005
【図５】
0003667115.tif 000006
【図６】
0003667115.tif 000007